【手続補正書】
【提出日】平成20年7月1日(2008.7.1)
【手続補正１】
【補正対象書類名】特許請求の範囲
【補正対象項目名】全文
【補正方法】変更
【補正の内容】
【特許請求の範囲】
【請求項１】
既設のまくら木に打ち込まれている犬釘又はネジ釘を抜き取る工程と、犬釘又はネジ釘を抜き取った後の既設の釘穴の一部または全部を掘り下げて、まくら木を上下方向へ貫通して既設の釘穴の最小内径よりも大きい内径を有する下穴を穿設する工程と、穿設した下穴に栓部材を埋め込む工程とを有し、
前記栓部材は、下端部を下穴から下方へ向けて突出させて下穴に埋め込まれ、当該栓部材が下穴から突出する部位を、下穴の内径に比べて拡径させることを特徴とするまくら木の釘穴補修方法。
【請求項２】
既設のまくら木に打ち込まれている犬釘又はネジ釘を抜き取る工程と、犬釘又はネジ釘を抜き取った後の既設の釘穴の一部または全部を掘り下げて、まくら木を上下方向へ貫通して既設の釘穴の最小内径よりも大きい内径を有する下穴を穿設する工程と、穿設した下穴に栓部材を埋め込む工程とを有し、
前記栓部材は、下端部を下穴から下方へ向けて突出させて下穴に埋め込まれ、当該栓部材が下穴から突出する部位を、下穴の軸方向に対して傾斜する方向へ湾曲させることを特徴とするまくら木の釘穴補修方法。
【請求項３】
下穴に埋め込まれた栓部材の上端がまくら木の上端近傍に位置し、該栓部材の外周面と既設の釘穴の内周面との間の隙間に速硬化性樹脂組成物を注入充填して硬化させる工程をさらに有することを特徴とする請求項１又は２に記載のまくら木の釘穴補修方法。
【請求項４】
前記栓部材は、柱状に成形された不織布であり、当該栓部材に前記速硬化性樹脂組成物を含浸させた後に当該栓部材を下穴に埋め込むことを特徴とする請求項１乃至３のいずれか１項に記載のまくら木の釘穴補修方法。
【請求項５】
前記栓部材は、多数のガラス長繊維を長手方向に揃えて束ねた繊維体と、該繊維体の内部に設けられたひも又は棒状の心材とを備えるとともに、該栓部材の下端部において前記繊維体と前記心材とを固着させたものであり、該栓部材の下端部が下穴の下端部よりも下方に突出する位置まで前記繊維体を捩りつつ栓部材を下穴に挿通し、前記心材を引き上げて前記突出部分において前記繊維体の下端部を膨径させた後、該下穴内に速硬化性樹脂組成物を注入することを特徴とする請求項１乃至３のいずれか１項に記載のまくら木の釘穴補修方法。
【手続補正２】
【補正対象書類名】明細書
【補正対象項目名】００１５
【補正方法】変更
【補正の内容】
【００１５】
上記本発明のまくら木の釘穴補修方法において、下穴は、既設の釘穴の最小内径よりも大きい内径を有し、既設の釘穴の一部または全部を拡径しつつ掘り下げて穿設することができる（請求項１、２）。これによれば、下穴の内径が、既設の釘穴の最小内径よりも大きく最大内径よりも小さい場合は、既設の釘穴の一部が拡径されつつ掘り下げられる。また、下穴の内径が既設の釘穴の最大内径以上の場合は、既設の釘穴の全部が拡径されつつ掘り下げられる。これにより、疲弊し汚れた内周壁が削り落とされて新生面が露出する部位が拡大する。従って、栓部材を一層強固に下穴に固着させることができ、栓部材の上下方向および横方向に対する耐荷重力を一層増大させることが可能となる。
【手続補正３】
【補正対象書類名】明細書
【補正対象項目名】００１６
【補正方法】変更
【補正の内容】
【００１６】
また、下穴は、まくら木を上下方向へ貫通して穿設することができる（請求項１，２）。ここで、水分の多い環境下では、通常、接着剤や速硬化性樹脂組成物の固着力が低下する。特に、ウレタン樹脂系の接着剤を水分のある環境下で使用すると、ウレタン樹脂と水が反応して気泡が生じ、接着部位や充填部位に気泡を内包した状態で硬化して著しく強度が低下する。しかし、上記本発明によれば、まくら木を上下方向へ貫通するように下穴を穿設することにより、既設の釘穴の内部に滞留する雨水や錆、ゴミなどは下穴を通じてまくら木の下部に流出する。これにより、穿設された下穴に雨水やゴミが滞留することがなく、ウレタン樹脂系の接着剤や充填材を用いる場合でも充分な固着力が発現し、栓部材を下穴に強固に固着することができる。また、下穴が貫通しているので、圧縮空気などを噴射して下穴に付着した水分やゴミを飛散させるエアーブローによって清掃することが容易である。
【手続補正４】
【補正対象書類名】明細書
【補正対象項目名】００１７
【補正方法】変更
【補正の内容】
【００１７】
また、栓部材は、下端部を下穴から下方へ向けて突出させて下穴に埋め込まれ、当該栓部材が下穴から突出する部位を、下穴の内径に比べて拡径する構成としてもよい（請求項１）。これによれば、下穴から突出する栓部材の下端部が下穴の内径よりも拡径されるので、当該栓部材の突出部位が下穴と係合してアンカー部として機能する。これにより、栓部材に作用する引き抜き力に対して大きな抗力を発現することができ、犬釘またはネジ釘の締結力を一層向上した栓部材として機能させることが可能となる。
【手続補正５】
【補正対象書類名】明細書
【補正対象項目名】００１８
【補正方法】変更
【補正の内容】
【００１８】
また、栓部材は、下端部を下穴から下方へ向けて突出させて下穴に埋め込まれ、当該栓部材が下穴から突出する部位を、下穴の軸方向に対して傾斜する方向へ湾曲させる構成としてもよい（請求項２）。これによれば、下穴から突出する栓部材の下端部が湾曲しているので、湾曲した突出部位が下穴と係合してアンカー部として機能する。これにより、栓部材に作用する引き抜き力に対して大きな効力が発現され、犬釘またはネジ釘の締結力を一層向上した栓部材として機能させることが可能となる。
【手続補正６】
【補正対象書類名】明細書
【補正対象項目名】００１９
【補正方法】変更
【補正の内容】
【００１９】
また、各工程は、タイプレートをまくら木に当接させた状態で行なわれ、下穴の穿設は、タイプレートの犬釘又はネジ釘挿通用釘穴に挿通されたドリル等の穿孔具によって行うものであってよい。本発明の補修方法は、犬釘又はネジ釘を抜き取った既設の釘穴を掘り下げて下穴を穿設する工程を有する。この工程は、犬釘又はネジ釘を引き抜いた後に、タイプレートの固定用釘穴にドリルなどの穿孔具を挿入して行うことが可能である。即ち、タイプレートを移動せずにタイプレートの固定用釘穴を通じて既設の穴を掘り下げることが可能である。また、穿設した下穴に栓部材を埋め込む工程、および、栓部材の周囲の隙間に速硬化性樹脂組成物を注入する工程についても、同様に、タイプレートの固定孔を通じて行うことが可能である。即ち、タイプレートをまくら木に当接したままの状態で本発明の補修方法を実施することが可能である。
【手続補正７】
【補正対象書類名】明細書
【補正対象項目名】００２１
【補正方法】変更
【補正の内容】
【００２１】
また、下穴に埋め込まれた栓部材の周囲の隙間に速硬化性樹脂組成物を注入充填して硬化させる工程を有することができる。これによれば、栓部材の上部側の周囲には硬化樹脂が充填されて横方向に対する耐荷重力を発現させることができ、下穴の上部側に疲弊した内周壁が残って硬化樹脂の固着力が小さい場合でも、栓部材は上下方向および横方向に充分な耐荷重力を維持して下穴に強固に固着され、補修後に新たに打ち込まれる犬釘又はネジ釘の引き抜き強度を向上させることが可能である。
【手続補正８】
【補正対象書類名】明細書
【補正対象項目名】００２２
【補正方法】変更
【補正の内容】
【００２２】
また、上記本発明のまくら木の釘穴補修方法は、下穴に埋め込まれた栓部材の上端がまくら木の上端近傍に位置し、該栓部材の外周面と既設の釘穴の内周面との間の隙間に速硬化性樹脂組成物を注入充填して硬化させる工程をさらに備えることができる（請求項３）。これによれば、前記したように、栓部材の下部は拡径された下穴の新生面に強固に固着され、栓部材の上部には速硬化性樹脂組成物が充填される。従って、既設の釘穴の内面が疲弊して速硬化性樹脂組成物の固着強度が低い場合でも、栓部材の上部周囲に充填された樹脂組成物によって栓部材の上部側が釘穴の内部で横方向へ移動することが阻止される。これにより、栓部材の上部側の横揺れを防止して耐荷重強度を一層向上させることが可能となる。
【手続補正９】
【補正対象書類名】明細書
【補正対象項目名】００２３
【補正方法】変更
【補正の内容】
【００２３】
また、栓部材は、樹脂材または繊維強化樹脂材からなる柱状の埋め栓であり、当該埋め栓に速硬化性樹脂組成物を塗布した後に該埋め栓を下穴に埋め込むこともできる。これによれば、埋め栓を下穴に埋め込むことにより、埋め栓は下穴の全部または下部に形成される新生面に強固に固着して下穴の内部で芯材として機能する。これにより、新たに打ち込まれる犬釘やネジ釘の引き抜き強度が向上すると共に、補修を短時間に行うことができる。
【手続補正１０】
【補正対象書類名】明細書
【補正対象項目名】００２７
【補正方法】変更
【補正の内容】
【００２７】
また、栓部材は、柱状に成形された不織布であり、当該不織布に速硬化性樹脂組成物を含浸させた後に該栓部材を下穴に埋め込む構成とすることもできる（請求項４）。ここで、不織布は天然繊維または合成繊維を、粘着剤、加熱加圧あるいは製縫などによって不規則に配列させたり、あるいは、もつれさせて製した生地である。この不織布に速硬化性接着剤又は樹脂組成物を含浸させることにより、樹脂剤が硬化すると不織布は繊維で強化された繊維強化樹脂材となる。従って、不織布（栓部材）に速硬化性樹脂組成物を含浸させて下穴に埋め込むと、不織布は下穴の下部内壁面に沿って密着しつつ短時間に硬化して強固に固着すると共に、不織布は下穴の内部で高強度の芯材として機能する。これにより、犬釘又はネジ釘の締結力が向上し、しかも、補修を短時間に行うことが可能となる。
【手続補正１１】
【補正対象書類名】明細書
【補正対象項目名】００３２
【補正方法】変更
【補正の内容】
【００３２】
また、栓部材は、弾性を有するチューブに速硬化性樹脂組成物を注入して形成され、前記チューブの外周面に速硬化性樹脂組成物を塗布した後にチューブを下穴に挿通し、当該チューブ内に前記速硬化性樹脂組成物を圧入し、これによりチューブ外周面を前記釘穴並びに下穴内周面に密着させることもできる。これによれば、弾性を有するチューブに注入される速硬化性樹脂組成物によってチューブが下穴に沿って押し広げられ、チューブに注入された速硬化性樹脂組成物は下穴を充填する状態で硬化する。これにより、等価的に下穴の形状に即した栓部材を下穴の内壁に密着させて嵌入した状態となり、犬釘またはネジ釘の締結力を向上した栓部材として機能させることが可能となる。
【手続補正１２】
【補正対象書類名】明細書
【補正対象項目名】００３５
【補正方法】変更
【補正の内容】
【００３５】
また、前記栓部材は、多数のガラス長繊維を長手方向に揃えて束ねた繊維体であり、該栓部材を捩りつつ下穴に挿通した後、該下穴内に速硬化性樹脂組成物を注入することもできる。これによれば、下穴に注入される速硬化性樹脂組成物が繊維体に浸透して硬化することにより、栓部材は繊維強化樹脂材となる。これにより、犬釘またはネジ釘の締結力を一層向上した栓部材として機能させることが可能となる。また、繊維体を捩りながら下穴に挿通するので、挿通作業性がよく、容易かつ迅速に繊維体の挿通を行える。なお、繊維体としては、例えばガラス長繊維を簾状に編んだマット状のものや、これを筒状に形成したものを用いることができる。また、繊維体は、下穴から釘穴に亘って挿通されることが好ましく、速硬化性樹脂組成物は、下穴並びに釘穴に充填されることが好ましい。なお、上記繊維体は、ガラス長繊維をスダレ状に編んだマット状のものや、これを筒状に形成したものなど、適宜の構成とすることができる。
【手続補正１３】
【補正対象書類名】明細書
【補正対象項目名】００３６
【補正方法】変更
【補正の内容】
【００３６】
また、前記栓部材は、多数のガラス長繊維を長手方向に揃えて束ねた繊維体と、該繊維体の内部に設けられたひも又は棒状の心材とを備えるとともに、該栓部材の下端部において前記繊維体と前記心材とを固着させたものであり、該栓部材の下端部が下穴の下端部よりも下方に突出する位置まで前記繊維体を捩りつつ栓部材を下穴に挿通し、前記心材を引き上げて前記突出部分において前記繊維体の下端部を膨径させた後、該下穴内に速硬化性樹脂組成物を注入することもできる（請求項５）。これによれば、膨径された繊維体の下端部に速硬化性樹脂組成物が含浸して硬化すると、該下端部が下穴径より大径の係止部乃至アンカー部として機能し、栓部材に作用する引き抜き力に対して大きな抗力を発現することができ、犬釘またはネジ釘の締結力を一層向上した栓部材として機能させることが可能となる。なお、上記繊維体は、ガラス長繊維をスダレ状に編んだマット状のものや、これを筒状に形成したものなど、適宜の構成とすることができる。